(57)【要約】【課題】本発明は固定電話着信時の応答方式に関し，予め異なる電話番号が割り当てられて同じ位置に設けた２つの固定電話機に接続した電話回線を含むネットワークと接続した伝送路を収容した通信装置において，一方に着信があって呼出しが発生した時に近くにいる利用者が保持する端末によりその着信に対して応答できることを目的とする。【解決手段】通信装置に２つの電話回線をそれぞれの固定電話機に接続するか，２つの電話回線を接続して相互に通話できるよう切替えられるスイッチと制御部とを設け，一方の固定電話機へのネットワークからの着信による呼出音が鳴動した状態において，他方の固定電話機に着信が発生すると，制御部は一方の固定電話機へ着信した回線を他方の固定電話機へ着信した回線と接続する制御を行うよう構成する。【選択図】図１
2008113283.tif 000002
【特許請求の範囲】
【請求項１】
それぞれに異なる電話番号が割り当てられて同じ位置に設けた２つの固定電話機に接続した電話回線を含むネットワークと接続した伝送路を収容した通信装置における固定電話着信時の応答方式において，
前記通信装置に前記２つの電話回線をそれぞれの固定電話機に接続するか，前記２つの電話回線を接続して相互に通話できるよう切替えられるスイッチと，制御部とを設け，
前記２つの固定電話機の一方へのネットワークからの着信による呼出音が鳴動した状態において，他方の固定電話機に着信が発生すると，前記制御部は前記一方の固定電話機へ着信した回線を前記他方の固定電話機へ着信した回線と接続するよう制御することを特徴とする固定電話着信時の応答方式。
【請求項２】
請求項１において，
前記ネットワークに接続した伝送路を２つの固定電話機の回線と高速ディジタル信号回線の各信号を伝送する広帯域の光ファイバで構成し，
前記通信装置をルータにより構成したことを特徴とする固定電話着信時の応答方式。
【請求項３】
請求項１において，
前記ネットワークは移動通信網及び固定電話網を含み，
前記他方の固定電話機への着信は，前記固定電話機の一方へのネットワークからの着信による呼出音の鳴動時に，前記固定電話機の利用者による携帯電話機からの前記移動通信網を介した前記他方の固定電話機を宛先とした発信により発生することを特徴とする固定電話着信時の応答方式。
【請求項４】
それぞれに異なる電話番号が割り当てられて同じ位置に設けた２つの固定電話機に接続した電話回線を含むネットワークと接続した伝送路を収容した通信装置における固定電話着信時の応答方式において，
それぞれに異なる電話番号が割り当てられた対をなす２つの固定電話機を組み合わせて設けた構内交換機における固定電話着信時の応答方式において，
前記対をなす２つの固定電話機の組み合わせの電話番号の情報の記憶部と，前記対をなす固定電話機の２つの電話回線をそれぞれの固定電話機に接続するか，前記２つの電話回線を相互に接続して通話できるよう切替えるスイッチと，制御部とを設け，
前記対をなす２つの固定電話機の組み合わせの一方の固定電話機への着信による呼出音が鳴動した状態において，前記対をなす２つの固定電話機の組み合わせの他方の固定電話機を宛先とした着信が発生すると，前記制御部は前記一方の固定電話機へ着信した回線を前記他方の固定電話機へ着信した回線と接続するよう制御することを特徴とする固定電話着信時の応答方式。
【発明の詳細な説明】
【技術分野】
【０００１】
本発明は，それぞれに異なる電話番号が割り当てられた複数の固定電話機を収容した通信装置における固定電話着信時の応答方式に関する。
【背景技術】
【０００２】
近年，光ファイバ等の広帯域の回線を各家庭や事業所と公衆網の間を接続し，インターネットによる各種のデータによる通信を実現すると共に，光ファイバの一部の帯域を使用して電話通信（光電話または光ＩＰ電話と呼ばれる）が可能なサービスが提供されている。このような光ファイバを使用した光電話では，一つの光回線に対して複数の電話番号を付与して，それぞれに通信装置を接続することで同時に２回線の通信ができるサービスも提供されるようになった。
【０００３】
複数の固定電話機のそれぞれに異なる電話番号を付与した場合，例えば，一方の電話番号を主の固定電話機に割り当て，他方の電話番号を従としてファクシミリ装置（またはファクシミリ機能付電話機）に割り当てて，両方の装置で同時に使用して，固定電話機により通話を行いながら，ファクシミリ装置によるファクシミリ画像の通信を行うこと等という運用が可能である。また，２つの電話番号をそれぞれ２つの固定電話機に割り当てることで２人の利用者が同時に２つの固定電話機による通話を行うこともできる。
【０００４】
このように広帯域のデータ伝送用の帯域と電話通信用の２つの回線のための帯域を伝送する光ファイバやＡＤＳＬのような伝送媒体または伝送方式で公衆網（交換局）に接続された加入者の通信装置（または宅内装置）の利用者は，電話通信用の回線の固定電話機に着信があって，呼出用のベルが鳴動した時，利用者がその呼出音を聞くことができても，その固定電話機から離れた位置（例えば，屋外）にいた場合は即座に応答（ピックアップ）することができず，一定時間が経って応答しても呼出しが終了してしまい，相手との通話ができない場合があり，直ちに応答したいという要求を満たすことができないという問題があった。
【０００５】
従来技術として，固定電話機と携帯電話機に対して同一の電話番号を付与して，両者間で転送を可能にする技術が知られている（特許文献１参照）。その構成を図４に従来例の構成として示す。図中，８１は交換機，８２は固定電話機，８３は公衆基地局，８４は携帯電話機，８５は局間信号である。交換機８１は，中央制御回路８１１，スイッチ８１２，スイッチパス制御回路８１３，音源発生器８１４及びデータベース８１５とから構成される。データベース８１５には電話番号とその電話番号に対応する携帯電話機８４の現在の位置，つまり携帯電話機８４が接続可能な公衆基地局８３の識別情報と，公衆基地局８３以外の接続先とが互いに対応付けられて記憶されている。この公衆基地局８３以外の接続先として携帯電話機８４の電話番号と同じ電話番号を登録しておく。
【０００６】
同一の電話番号が付された固定電話器８２及び携帯電話機８４の利用者に対して，自局内の加入者または局間信号８５を介して他局からの着信があると，中央制御回路８１１はデータベース８１５を参照し，その着信が同一の電話番号が付された固定電話機８２及び携帯電話機８４に対するものであると判定すると，スイッチパス制御回路８１３に対し固定電話機８２及び携帯電話機８４の各々へのパス設定命令を出力し，スイッチパス制御回路８１３はスイッチ８１２を制御して固定電話機８２と携帯電話機８４の両方にパスを設定し，同時呼出しを行う。利用者が固定電話機８２の方を先に応答（ピックアップまたはオフフック）すると，中央制御回路８１１は発呼者と固定電話機８２とを接続し，通話状態となる。
【０００７】
なお，携帯電話機８４（または固定電話機８２）が通話中に転送サービスを行う場合，通話中の携帯電話機８４から連続フッキングを行うと，このフッキングを検出することで中央制御回路８１１は通話中の携帯電話機８４から固定電話機８２へのパス設定命令を出力して，固定電話機８２へ呼出しを行い，固定電話機８２で応答すると発呼者との通話が携帯電話機８４から固定電話機８２に移る。これにより，例えば，固定電話機８２がＦＡＸ機能を持つ場合，携帯電話機８４で応答した後，ＦＡＸ通信の発信音が聞こえた場合，固定電話機８２へ転送して，ＦＡＸ通信のデータを固定電話機８２で受信することができる。
【特許文献１】特開平９−１６２９７４号公報
【発明の開示】
【発明が解決しようとする課題】
【０００８】
上記特許文献１の技術は，固定電話機と携帯電話機に対して同一の電話番号を付与して，着信時に両方を呼出して先に応答（ピックアップ）した方と発呼側とを接続させる技術であり，それぞれが異なる電話番号が付与された複数の固定電話機（一方がＦＡＸ機能を持つ場合を含む）の一方に着信があって呼出音が発生した時に近くに居る利用者がその呼出しに対して，その固定電話機の場所に足を運ぶことなく応答して発呼者と通話を行うことはできない。
【０００９】
本発明は複数の電話番号が付与された複数の固定端末（固定電話機またはＦＡＸ機能を持つ固定電話機）に着信があって呼出しが発生した時に近くにいる利用者が保持する端末によりその着信に対して応答（ピックアップ）できる固定電話着信時の応答方式を提供することを目的とする。
【課題を解決するための手段】
【００１０】
図１は本発明の原理構成を示す図である。図中，１は構内交換機やルータを含む宅内の装置等の通信装置，１０は複数の電話回線と高速ディジタル回線を含む光ファイバ等の広帯域の伝送路３０が収容された通信部，１１はパーソナルコンピュータ等の情報処理装置，１２はスイッチ，１３は制御部，１４は一つの電話番号Ｘが付与された回線に接続された主の固定電話機，１５は前記主の固定電話機１４とは異なる電話番号Ｙが付与された回線に接続された従の固定電話機，２は発信側の電話機（固定電話機または携帯電話機），３は伝送路で接続された各通信装置に対してＩＰのディジタル信号や電話信号の交換，接続のサービスを行うネットワーク，３０はディジタル信号の回線と，複数の電話回線の信号を伝送する光ファイバ等の広帯域の伝送路，４は携帯電話機４０に対して発・着信のサービスを行う無線基地局を含む移動通信網であり，固定電話機への交換接続を行うネットワーク３と相互接続することができる移動通信網，４０は携帯電話機である。
【００１１】
通信装置１に収容された２つの固定電話機１４，１５の回線には予め異なる電話番号ＸとＹが付与されており，その中の主の電話番号Ｘに対して着信があって通信部１０から呼出音が発生している時に，他の電話番号Ｙの従の固定電話機１５に対して着信（呼出し）が発生すると，主の電話番号Ｘの回線（呼出し中の回線）を他の電話番号Ｙの従の固定電話機１５の回線（Ｘへの呼出し中に他から着信した回線）に接続する制御機能を制御部１３が備えている。
【００１２】
図１において，発信側の電話機２から主の固定電話機１４の電話番号Ｘに対して発呼すると，ネットワーク３から広帯域の伝送路３０を介して通信装置１の通信部１０に着信すると，制御部１３はスイッチ１２を通って電話番号Ｘの主の固定電話機１４に呼出音を送る。これにより利用者が主の固定電話機１４の送受器を上げて（オンフック状態になる）応答すると通話状態となる。しかし，この呼出しに対して利用者が離れた場所，例えば，通信装置１が屋内に置かれている時，利用者が屋外にいて主の固定電話機１４への呼出音を聞くことができるが，直ちに主の固定電話機１４の送受器を手にとることができず，応答できない状態の時に，通信装置１の利用者（主の固定電話機１４，従の固定電話機１５の利用者）が携帯電話機４０から従の固定電話機１５の電話番号Ｙを宛先として発呼すると，移動通信網４を介してネットワーク３に接続され，ネットワーク３における交換接続により通信装置１の通信部１０に着信する。制御部１３は，主の固定電話機１４への呼出しをしている時に，主の固定電話機１４と対の従の固定電話機１５（電話番号Ｙ）への着信を検出すると，スイッチ１２を駆動して主の固定電話機１４へ着信した回線を従の固定電話機１５へ着信した回線と接続するよう切替える制御信号を発生する。これにより，携帯電話機４０を持つ利用者は固定電話機１４を呼出した発信側の電話機２の利用者と通話をすることが可能となる。
【００１３】
電話機２から発信した呼が主の固定電話機１４へ着信した時に，従の固定電話機１５の電話番号Ｙを宛て先とする呼出しを携帯電話機４０から発生することにより，スイッチ１２を切替えて発信側の電話機２からの着信した呼に対し携帯電話機４０により応答することになるが，携帯電話機４０以外の第３者の電話機から従の固定電話機１５を宛て先とする呼出しが発生する可能性もあるが，携帯電話機４０からの発信は主の固定電話機１４への呼出音を聞いた上で発信するため，その確率は極めて低いことは明らかである。
【００１４】
また，上記の説明では便宜上，固定電話機１４を主，固定電話機１５を従として説明したが，実際には２つの固定電話機１４，１５は同等の装置である。但し，主の固定電話機１４の回線を電話機専用として使用し，従の固定電話機１５の回線をファクシミリ専用としてファクシミリ装置に接続して使用する場合は，固定電話機１４に着信して呼出しが発生している時，ファクシミリ用の電話番号（固定電話機１５の電話番号）に対して携帯電話機４０から発信することになる。
【００１５】
図１に示す通信装置１はネットワーク３と接続する構内交換機（ＰＢＸ）として構成することができる。その場合，多数の固定電話機が構内交換機に収容されるが，主の固定電話機と従の固定電話機として予め対応付けて登録しておくことにより，一方の電話機へ着信した時に別の電話機から，他方の電話機を呼出すと，一方の電話機の回線と他方の電話機に着信した回線とを接続するよう構内交換機により切替えるように構成することができる。
【００１６】
また，図１ではネットワーク３と広帯域の伝送路３０により接続する通信装置１において，２つの電話回線をスイッチ１２において接続する制御を行っていたが，主の固定電話機１４への着信により呼出音が発生した時，携帯電話機４０から従の固定電話機１５の電話番号に対して発呼した時にその固定電話機１５への着信回線を，通信装置１側ではなくネットワーク３を構成する交換機（またはスイッチ）において固定電話機１４への着信回線と接続するよう切替える制御を行うようにしてもよい。
【発明の効果】
【００１７】
本発明によれば，主の電話機と従の電話機の２つの固定電話機を収容してそれぞれに異なる電話番号が割り当てられた通信装置において，主の固定電話機への着信が発生して呼出音が発生している時間に，通信装置の利用者が携帯電話機から従の固定電話機を呼び出すことにより，主の固定電話機へ着信した呼に対して携帯電話機から応答することで，主の固定電話機を呼出した相手と速やかに通話することができる。
【発明を実施するための最良の形態】
【００１８】
図２は実施例の構成である。図中，５は事務所や住宅に設けられ，ネットワーク（公衆電話網，移動通信網，ＩＰ網等を含む）と光ファイバにより接続されたルータ，５０は回線終端装置，５１は回線終端装置５０からの信号（下り信号）を２つの電話信号及び広帯域のディジタル信号とに分離し，逆方向（上り）の２つの電話信号や広帯域のディジタル信号を多重化すると共に，ディジタル信号処理（符号・復号，フォーマット化）を行うインタフェース，５１０は制御部，５１１はスイッチ，５２はパーソナルコンピュータ，５３は固有の電話番号（Ｘとする）が割り当てられた回線Ａに接続された固定電話機，５４は固定電話機５３とは異なる電話番号（Ｙとする）が割り当てられた回線Ｂに接続されたファクシミリ装置，６は固定電話網，移動通信網，ＩＰ電話網及びインターネットと相互に接続するネットワーク（図１の３）に接続する光ファイバであり，２つの電話回線Ａ，Ｂと高速のディジタル回線（パーソナルコンピュータ５２と接続）を含む光ファイバである。
【００１９】
電話信号（音声やＦＡＸ信号）はＶｏＩＰ（Voice-On IP)により例えば，ＳＩＰ（Session Initiation Protocol)という公知のプロトコルを用いてネットワーク（インターネット）を伝送することができ，ＩＰ対応の網（インターネット）と一般の公衆電話網や移動通信網との相互接続は従来技術により実行することができる。図２の光ファイバ６の２つの電話回線もＩＰ対応の信号により伝送され，ネットワークを介して発信側の電話機（固定または携帯）と接続されて通話することができる。
【００２０】
図３は実施例の制御フローであり，図２の制御部５１０において回線（インタフェース５１）の状態に対応して実行される。なお，ルータ５内のスイッチ５１１は通常は，回線Ａと固定電話機５３が接続し，回線Ｂがファクシミリ装置５４に接続するよう切替えられている。
【００２１】
動作を開始して，電話番号Ｘの回線Ａに着信があると（図３のＳ１），固定電話機５３の呼出音を鳴動させる（同Ｓ２）。この状態で，固定電話機５３の呼出音に気付いた利用者が図２では図示されない携帯電話機（図１の４０）から電話番号Ｙを呼出し先として発呼すると，移動通信網（図１の４），ネットワーク（図１の３）を介してルータ５に着信する。ルータ５のインタフェース５１では回線Ａへの呼出中に回線Ｂへの着信があるかを判別し（図３のＳ３），着信がなければ回線Ａの呼び出し中が続いているか判別し（同Ｓ４），呼び出し中であればステップＳ３に戻り，呼び出しが終了するとステップＳ６に移行する。回線Ｂへの着信であることを制御部５１０が検出すると，回線Ａと回線Ｂを接続する制御信号をスイッチ５１１に対して発生して（図３のＳ５），スイッチ５１１が電話番号Ｘの回線Ａと電話番号Ｙの回線Ｂを接続するよう切替えられる。これによって電話番号Ｘへ発信した発信側の電話機（図１の２）と利用者が保持する携帯電話機（図１の４０）との間で通話が可能となり（図３のＳ４），固定電話機５３の呼出音の鳴動を停止させる（同Ｓ６）。
【００２２】
上記図２の構成例では，ルータ５には回線終端装置５０を介してインタフェース５１が接続されているが，ルータ５の代わりにＰＢＸ（構内交換機）等の複数の電話機が接続されている交換機が設けられている場合でもよい。その場合も，ＰＢＸの一つの電話機に着信があった時に，その電話機と対の形で設けられた他方の電話機の電話番号を他の携帯電話機から呼出すことで，同様に２つの電話回線同士を接続する構成となる。
【００２３】
上記図２の構成では，ネットワークと接続された光ファイバ６にルータ５を設け，高速ディジタル信号と２つの電話回線の信号が送受信されるが，光ファイバ６により接続する構内交換機（ＰＢＸ）を設けて本発明による着信時の応答の機能を実現することができる。その場合，構内交換機に収容された２つの固定電話機（異なる電話番号を付与）の対（組み合わせ）を同じ位置に配置して，その固定電話機の組み合わせの電話番号を予め記憶部に登録しておき，上記図２のスイッチ５１１と同様に２つの固定電話機の電話回線をそれぞれの固定電話機に接続するか，２つの電話回線を相互に通話できるよう切替えるスイッチを設け，構内交換機の制御部に図２の制御部５１０と同様に固定電話機の組み合わせの一方の固定電話機への着信による呼出音が鳴動した状態において，対をなす他方の固定電話機を宛先とした着信が発生すると，一方の固定電話機へ着信した回線を他方の固定電話機へ着信した回線と接続するようスイッチを制御するように構成する。
【図面の簡単な説明】
【００２４】
【図１】本発明の原理構成を示す図である。
【図２】実施例の構成を示す図である。
【図３】実施例の制御フローを示す図である。
【図４】従来例の構成を示す図である。
【符号の説明】
【００２５】
１              通信装置
１０            通信部
１１            情報処理装置
１２            スイッチ
１３            制御部
１４            主の固定電話機
１５            従の固定電話機
２              発信側の電話機
３              ネットワーク
３０            広帯域の伝送路
４              移動通信網
４０            携帯電話機
【図１】
2008113283.tif 000003
【図２】
2008113283.tif 000004
【図３】
2008113283.tif 000005
【図４】
2008113283.tif 000006